(57)【要約】【課題】時計回り用のロータ本体と反時計回り用のロータ本体とを製造するときの製造コストの増加を抑える。【解決手段】第１ロータアーム３１及び第２ロータアーム３２は、ベールアーム３４を糸開放姿勢と糸巻き取姿勢とに振り分けて付勢するトグルばね機構６１を取り付け可能な第１収納空間３１ａ及び第２収納空間３２ａをそれぞれ有している。第１収納空間３１ａ及び第２収納空間３２ａは、第１収納空間３１ａにトグルばね機構６１が収納され、完成品とするために切削加工等の仕上げ加工を施す前の製造中途段階の状態のもの（半製品）であるとき、スプール軸１６を全部含む面を対称面として互いが面対称となる形状に形成されている。【選択図】図７
2009065935.tif 000002
【特許請求の範囲】
【請求項１】
スピニングリールのリール本体に回転自在に装着され、前後移動するスプールに釣り糸を案内可能なベールアームが糸開放姿勢と糸巻取姿勢とに揺動自在に装着されるスピニングリールのロータ本体であって、
前記リール本体の前端部に回転自在に装着される支持部と、
前記支持部の後端部外周面の対向する位置から前記支持部と間隔を隔ててそれぞれ前方に延び、前記ベールアームが揺動自在に連結される第１ロータアーム及び第２ロータアームとを備え、
前記第１ロータアーム及び前記第２ロータアームは、前記ベールアームを前記糸開放姿勢と前記糸巻取姿勢とに振り分けて付勢するトグルばね機構を少なくともいずれか一方に取り付け可能な第１収納空間及び第２収納空間をそれぞれ有し、
前記第１収納空間及び前記第２収納空間は、前記スプールの回転軸を全部含む面を対称面として互いが面対称となる形状に形成されている、スピニングリールのロータ本体。
【請求項２】
前記第１ロータアーム及び前記第２ロータアームは、前記スプールの回転軸を全部含む面を対称面として互いが面対称となる形状に形成されている、請求項１に記載のスピニングリールのロータ本体。
【請求項３】
スピニングリールのリール本体に回転自在に装着され、前後移動するスプールに釣り糸を案内可能なベールアームが糸開放姿勢と糸巻取姿勢とに揺動自在に装着されるスピニングリールのロータであって、
前記請求項１又は２に記載の前記ロータ本体と、
前記第１収納空間及び前記第２収納空間に取り付け可能であり、前記ベールアームを前記糸開放姿勢と前記糸巻取姿勢とに振り分けて付勢するトグルばね機構と、
前記第１ロータアーム及び前記第２ロータアームの外方に前記第１収納空間及び前記第２収納空間を覆うようにそれぞれ装着される第１カバー部材及び第２カバー部材と、
を備えたスピニングリールのロータ。
【請求項４】
前記第１ロータアーム及び前記第２ロータアームは、両外側面に形成され、前記トグルばね機構を揺動支持する第１支持部及び第２支持部を有しており、
前記第１支持部及び前記第２支持部は、前記スプールの回転軸を全部含む面を対称面として互いが面対称となる形状に形成されている、請求項３又は４に記載のスピニングリールのロータ。
【請求項５】
前記第１カバー部材及び前記第２カバー部材は、両内側面に形成され、それぞれ前記第１支持部及び前記第２支持部とで前記トグルばね機構を揺動支持する第３支持部及び第４支持部を有しており、
前記第３支持部及び前記第４支持部は、前記スプールの回転軸を全部含む面を対称面として互いが面対称となる形状に形成されている、請求項４に記載のスピニングリールのロータ。
【請求項６】
前記第１ロータアーム及び前記第２ロータアームは、後面にそれぞれ形成され、前記糸解放姿勢に揺動した前記ベールアームを前記糸巻取姿勢に戻す戻し機構を装着可能な第１装着部及び第２装着部を有しており、
前記第１装着部及び前記第２装着部は、前記スプールの回転軸を全部含む面を対称面として互いが面対称となる形状に形成されている、請求項３から５のいずれか１項に記載のスピニングリールのロータ。
【請求項７】
前記トグルばね機構は、
前記ベールアームに一端が係止され前記第１ロータアーム及び前記第２ロータアームのいずれか一方に揺動自在に装着される第１トグルばね機構を有しており、
前記戻し機構は、
前記第１トグルばね機構の他端に係合し、前記第１ロータアーム及び前記第２ロータアームの後面のいずれか一方に揺動自在に装着される戻しレバーと、
前記戻しレバーを振り分けて付勢する第２トグルばね機構とを有している、請求項６に記載のスピニングリールのロータ。
【請求項８】
前記トグルばね機構が取り付けられていない前記第１収納空間及び前記第２収納空間のいずれかには、前記第１ロータアーム及び前記第２ロータアーム全体の質量を均一化するバランサ部材が装着されている、請求項３から７のいずれか１項に記載のスピニングリールのロータ。
【発明の詳細な説明】
【技術分野】
【０００１】
本発明は、ロータ、特に、スピニングリールのリール本体に回転自在に装着され、前後移動するスプールに釣り糸を案内可能なベールアームが糸開放姿勢と糸巻き取姿勢とに揺動自在に装着されるスピニングリールのロータ及びロータ本体に関する。
【背景技術】
【０００２】
スピニングリールは、一般に、釣竿に装着されるリール本体と、リール本体に回転自在に装着された釣り糸案内用のロータと、ハンドルの回転に連動してロータを回転させるロータ駆動機構と、ロータにより案内された釣り糸を巻き取るスプールとを有している（たとえば、特許文献１参照）。ロータは、ロータ本体と、ロータ本体に揺動自在に装着されたベールアームとを有している。ロータ本体は、リール本体に回転自在に装着された支持部と、支持部の後端部から径方向外方に延びる対向して配置された第１ロータアーム及び第２ロータアームとを有している。第１ロータアーム及び第２ロータアームは、支持部の後端部外周面の対向する位置から支持部と間隔を隔ててそれぞれ前方に延びている。ロータ駆動機構は、ハンドルが一体回転可能に装着されたマスターギア軸とマスターギア軸の外周側に設けられハンドルの回転をロータに伝達するギア部とを有するマスターギアと、ロータに一体回転可能に装着されハンドルの回転に連動してマスターギアの回転が伝達されるピニオンギアとを有している。ベールアームは、釣り糸をスプールに案内するものであり、第１ロータアームの先端に揺動自在に装着された第１ベール支持部材と、第２ロータアームの先端に揺動自在に装着された第２ベール支持部材と、第１ベール支持部材の先端に回動自在に装着されたラインローラと、ラインローラと第２ベール支持部材とを連結する線材製のベールとを有している。
【０００３】
このようなスピニングリールでは、ハンドルを糸巻き取り方向、たとえばハンドルを時計回りに回転させると、ハンドルの回転力はマスターギアを介してピニオンギアに伝達され、ピニオンギアに伝達された回転力は、ピニオンギアの前部を介してロータに伝達され、ロータが糸巻き取り方向、すなわちリール前方から見て時計回りに回転する。ロータが糸巻き取り方向に回転すると、ベールアームによって案内された釣り糸がスプールに巻き取られる。
【特許文献１】特開２００３−２２５０３８号公報
【発明の開示】
【発明が解決しようとする課題】
【０００４】
前記従来のロータは、ハンドルを時計回りに回転させると、ロータが糸巻き取り方向、すなわちリール前方から見て時計回り（右巻き）に回転するようになっている。しかし、釣人の嗜好によっては、ハンドルを時計回りに回転させたときに、糸巻き取り方向がリール前方から見て反時計回り（左巻き）に回転するようなロータが要請されることがある。このような反時計回りに回転するロータを構成するには、ロータ、ロータ駆動機構及びベール反転機構の各部材を、時計回りに回転するロータの各部材に対して鏡像となるような形状に形成する必要が生じる。たとえば、ベール反転機構のトグルばね機構が収納されるロータ本体の第１ロータアームには、トグルばね機構を収納するための収納凹部が形成されているが、時計回り用の収納凹部と反時計回り用の収納凹部とはそれぞれ鏡像となる形状となっているために、時計回り用と反時計回り用とでそれぞれ専用の収納凹部を有するロータ本体を形成しなくてはならない。また、ロータ本体は、型成形によって支持部や第１ロータアーム及び第２ロータアームを一体的に形成されることが多いが、型成形するための金型を時計回り用のロータ本体と反時計回り用のロータ本体との２種類をそれぞれ製作すると、特に、ロータ本体の金型は比較的大きいものを使用しているため、製造コストが飛躍的に増加してしまうおそれが生じる。
【０００５】
本発明の課題は、スピニングリールのロータにおいて、時計回り用のロータ本体と反時計回り用のロータ本体とを製造するときの製造コストの増加を抑えることにある。
【課題を解決するための手段】
【０００６】
発明１に係るスピニングリールのロータ本体は、スピニングリールのリール本体に回転自在に装着され、前後移動するスプールに釣り糸を案内可能なベールアームが糸開放姿勢と糸巻き取姿勢とに揺動自在に装着されるスピニングリールのロータ本体であって、リール本体の前端部に回転自在に装着される支持部と、支持部の後端部外周面の対向する位置から支持部と間隔を隔ててそれぞれ前方に延びベールアームが揺動自在に連結される第１ロータアーム及び第２ロータアームとを備えている。第１ロータアーム及び第２ロータアームは、ベールアームを糸開放姿勢と糸巻き取姿勢とに振り分けて付勢するトグルばね機構を少なくともいずれか一方に取り付け可能な第１収納空間及び第２収納空間をそれぞれ有している。第１収納空間及び第２収納空間は、スプールの回転軸を全部含む面を対称面として互いが面対称となる形状に形成されている。
【０００７】
このロータ本体では、第１ロータアーム及び第２ロータアームの第１収納空間及び第２収納空間は、少なくとも一方にトグルばね機構が収納されるように形成され、スプールの回転軸を全部含む面を対称面として互いが面対称となる形状に形成されている。ここでは、たとえば第１ロータアームの第１収納空間にトグルばね機構が収納され、ロータの糸巻き取り方向がリール前方から見て時計回り（右巻き）に回転するようになっている場合、第２ロータアームの第２収納空間は、第１収納空間に対して面対称となる形状に形成されているので、ロータの糸巻き取り方向がリール前方から見て反時計回り（左巻き）に回転する構成にする場合には、第２ロータアームの第２収納空間にトグルばね機構を収納することができる。したがって、時計回り用のロータ本体と反時計回り用のロータ本体とを兼用することができるので、ロータ本体の支持部や第１ロータアーム及び第２ロータアームを一体的に型成形するための金型を従来のように２つ製造する必要がなく１つの金型で済む。このため、時計回り用のロータ本体と反時計回り用のロータ本体とを製造するときの製造コストの増加を抑えることができる。
【０００８】
なお、スプールの回転軸を全部含む面を対称面として互いが面対称となる形状に形成された第１収納空間及び第２収納空間とは、最終的に製品として完成した状態のもの（完成品）でもよいし、完成品とするために切削加工等の仕上げ加工を施す前の製造中途段階の状態のもの（半製品）であってもよい。完成品及び半製品いずれの状態であっても、ロータ本体の金型は１つで済むので、製造コストの増加を抑えることができる。
【０００９】
発明２に係るロータ本体は、発明１のロータ本体において、第１ロータアーム及び第２ロータアームは、スプールの回転軸を全部含む面を対称面として互いが面対称となる形状に形成されている。この場合、第１収納空間及び第２収納空間だけでなく、第１ロータアーム及び第２ロータアーム自体も面対称となる形状に形成されているので、時計回り用の第１ロータアーム及び第２ロータアームと反時計回り用の第１ロータアーム及び第２ロータアームとで全体的な外形のシルエットを統一できるので、意匠性を向上できる。
【００１０】
発明３に係るロータは、スピニングリールのリール本体に回転自在に装着され、前後移動するスプールに釣り糸を案内可能なベールアームが糸開放姿勢と糸巻き取姿勢とに揺動自在に装着されるスピニングリールのロータであって、発明１又は２に記載のロータ本体と、第１収納空間及び第２収納空間に取り付け可能でありベールアームを糸開放姿勢と糸巻き取姿勢とに振り分けて付勢するトグルばね機構と、第１ロータアーム及び第２ロータアームの外方に第１収納空間及び第２収納空間を覆うようにそれぞれ装着される第１カバー部材及び第２カバー部材とを備えている。この場合、ロータ本体は、少なくとも一方にトグルばね機構が収納されるように形成され、スプールの回転軸を全部含む面を対称面として互いが面対称となる形状に形成された第１収納空間及び第２収納空間を有しているので、このようなロータ本体を備えたロータにおいても、時計回り用のロータ本体と反時計回り用のロータ本体とを製造するときの製造コストの増加を抑えることができる。
【００１１】
発明４に係るロータは、発明３のロータにおいて、第１ロータアーム及び第２ロータアームは、両外側面に形成され、トグルばね機構を揺動支持する第１支持部及び第２支持部を有している。第１支持部及び第２支持部は、スプールの回転軸を全部含む面を対称面として互いが面対称となる形状に形成されている。この場合、第１支持部及び第２支持部が面対称となる形状に形成されているので、時計回り用の第１ロータアーム及び第２ロータアームと反時計回り用の第１ロータアーム及び第２ロータアームとを兼用することができる。
【００１２】
発明５に係るロータは、発明４のロータにおいて、第１カバー部材及び第２カバー部材は、両内側面に形成され、それぞれ第１支持部及び第２支持部とでトグルばね機構を揺動支持する第３支持部及び第４支持部を有している。第３支持部及び第４支持部は、スプールの回転軸を全部含む面を対称面として互いが面対称となる形状に形成されている。この場合、第３支持部及び第４支持部が面対称となる形状に形成されているので、第１カバー部材及び第２カバー部材の外側面においても対称形状とすれば、時計回り用の第１カバー部材及び第２カバー部材と反時計回り用の第１カバー部材及び第２カバー部材とを兼用することができる。
【００１３】
発明６に係るロータは、発明３から５のいずれかのロータにおいて、第１ロータアーム及び第２ロータアームは、後面にそれぞれ形成され、糸解放姿勢に揺動したベールアームを糸巻き取姿勢に戻す戻し機構を一方のみに装着可能な第１装着部及び第２装着部を有している。第１装着部及び第２装着部は、スプールの回転軸を全部含む面を対称面として互いが面対称となる形状に形成されている。この場合、第１装着部及び第２装着部が面対称となる形状に形成されているので、時計回り用の第１ロータアーム及び第２ロータアームと反時計回り用の第１ロータアーム及び第２ロータアームとを兼用することができる。
【００１４】
発明７に係るロータは、発明６のロータにおいて、トグルばね機構は、ベールアームに一端が係止され第１ロータアーム及び第２ロータアームのいずれか一方に揺動自在に装着される第１トグルばね機構を有している。戻し機構は、第１トグルばね機構の他端に係合し、第１ロータアーム及び第２ロータアームの後面のいずれか一方に揺動自在に装着される戻しレバーと、戻しレバーを振り分けて付勢する第２トグルばね機構とを有している。この場合、トグルばね機構の第１トグルばね機構や戻し機構の戻しレバーを第１ロータアーム及び第２ロータアームのいずれか一方側に装着することによって、時計回り用のロータと反時計回り用のロータとを容易に切り換えることができる。
【００１５】
発明８に係るロータは、発明３から７のいずれかのロータにおいて、トグルばね機構が取り付けられていない第１収納空間及び第２収納空間のいずれかには、第１ロータアーム及び第２ロータアーム全体の質量を均一化するバランサ部材が装着されている。この場合、バランサ部材によって、ロータの回転バランスを向上できる。
【発明の効果】
【００１６】
本発明によれば、スピニングリールのロータにおいて、第１ロータアーム及び第２ロータアームの第１収納空間及び第２収納空間は、少なくとも一方にトグルばね機構が収納されるように形成され、スプールの回転軸を全部含む面を対称面として互いが面対称となる形状に形成されているので、時計回り用のロータ本体と反時計回り用のロータ本体とを製造するときの製造コストの増加を抑えることができる。
【発明を実施するための最良の形態】
【００１７】
本発明の一実施形態によるスピニングリールは、図１から図４に示すように、投げ釣り用のスピニングリールであって、ハンドル１を有し、釣竿に装着されるリール本体２と、リール本体２の前部に回転自在に装着されたロータ３と、ロータ３の前部に配置された前後移動するスプール４とを主に備えている。また、スピニングリールは、ハンドル１の回転に連動してロータ３を回転駆動するロータ駆動機構５と、ロータ３の回転に連動してスプール４を前後移動させるオシレーティング機構６とを備えている。
【００１８】
リール本体２は、内部にロータ駆動機構５とオシレーティング機構６とを収納している。リール本体２は、図１から図４に示すように、両側が開口する筐体部１０と、筐体部１０の両側をそれぞれ塞ぐ第１蓋部材１１及び第２蓋部材１２と、筐体部１０に一体形成された竿取付脚部１３と、筐体部１０及び第１蓋部材１１、第２蓋部材１２を後方から覆う第１カバー部材１４、第２カバー部材１５とを有している。
【００１９】
筐体部１０は、図２から図４に示すように、たとえばアルミニウム合金製の部材であり、ロータ駆動機構５やオシレーティング機構６を収納支持するための収納空間１０ａを形成し得る両面が開口した枠状の部材である。筐体部１０の前面には、図２、図４に示すように、後述する逆転防止機構５０のワンウェイクラッチ５１やピニオンギア９等が装着される円板状の機構支持部１０ｂが形成されている。
【００２０】
第１蓋部材１１は、たとえばアルミニウム合金製の部材であり、筐体部１０の一面を覆うように形成されている。第１蓋部材１１は、図３、図４に示すように、マスターギア７に近接して配置されている。また、第１蓋部材１１には、図３に示すように、マスターギア７が設けられたマスターギア軸８の一端をマスターギア７の背面側で支持する第１ボス部１１ａが壁面の略中央部分に外方に突出して形成されている。また、第１蓋部材１１の前部には、図４に示すように、ロータ３の内部に入り込む円板部を構成する略半円形の第１フランジ部１１ｂが形成されている。さらに、第１フランジ部１１ｂの前部には、図４に示すように、機構支持部１０ｂの後面に配置され機構支持部１０ｂの外周面と略面一に構成される略半円弧状の第１機構収納カバー１１ｃが形成されている。
【００２１】
第２蓋部材１２は、たとえばアルミニウム合金製の部材であり、第１蓋部材１１と略対称な鏡像関係の形状であり、図３、図４に示すように、第１ボス部１１ａ、第１フランジ部１１ｂ、第１機構収納カバー１１ｃと略対称な鏡像関係の形状である、第２ボス部１２ａ、第２フランジ部１２ｂ、第２機構収納カバー１２ｃが形成されている。このため、第１フランジ部１１ｂ及び第２フランジ部１２ｂは、筐体部１０の機構支持部１０ｂ後面の外周面とで円形を構成するように形成されている。この円形部分がロータ３の後面に僅かな隙間で嵌り込むように構成されている。
【００２２】
なお、第１蓋部材１１、第２蓋部材１２は、たとえば丸頭ビスのような固定ねじにより、筐体部１０に固定されている。
【００２３】
竿取付脚部１３は、図１から図４に示すように、筐体部１０から上方に延びるＴ字形状の部材であり、先端に形成された前後に延びるリール脚１３ａが釣竿に図示しないリールシートに装着可能である。
【００２４】
第１カバー部材１４、第２カバー部材１５は、図１から図４に示すように、第１蓋部材１１、第２蓋部材１２を装着した状態の筐体部１０を後方から側部及び底部を覆うように湾曲して形成されている。第１カバー部材１４、第２カバー部材１５は、ＡＢＳ樹脂等の比較的硬質の合成樹脂製であり、表面に金属めっきを施している。
【００２５】
ロータ駆動機構５は、図２から図４に示すように、ハンドル１のハンドル軸１ａがねじ込み固定されるマスターギア軸８と、マスターギア軸８に一体形成されたマスターギア７と、マスターギア７と噛み合うピニオンギア９とを備えている。
【００２６】
マスターギア７は、図３に示すように、たとえばアルミニウム合金製のフェースギアであって、マスターギア軸８とともに一体成形されている。マスターギア７は、図３に示すように、ピニオンギア９に噛み合う斜歯で構成されるギア部７ａが右側に向くように配置されている。
【００２７】
マスターギア軸８は、図３に示すように、マスターギア７とアルミニウム合金により一体成形された中実部材であって、リール本体２の第１蓋部材１１、第２蓋部材１２に形成された第１ボス部１１ａ及び第２ボス部１２ａに装着された軸受１９ａ、１９ｂによりリール本体２に回転自在に装着されている。また、マスターギア軸８は、スプール軸１６の釣竿装着側（上側）に配置されている。マスターギア軸８の両端内周部には、雌ねじ部８ａ、８ｂがそれぞれ形成されている。雌ねじ部８ａ、８ｂは、ハンドル１を糸巻き取方向に回転したときねじが締まる方向のねじである。したがって、図３左側の雌ねじ部８ａは左ねじであり、図３右側の雌ねじ部８ｂは右ねじである。なお、ハンドル１は、図１及び図３に示す左位置と図示しない右位置とのマスターギア軸８の両端のいずれにも装着可能である。しかし、雌ねじ部８ａ、８ｂのねじ方向が異なるため、ハンドル軸１ａを左右に取り付ける場合、それぞれ専用のものが用意されている。
【００２８】
ピニオンギア９は、図２、図４に示すように、中空筒状の部材であり、前部がロータ３を貫通してロータ３を回転不能に装着している。ピニオンギア９の内周部には、図２に示すように、スプール軸１６が貫通して配置されている。ピニオンギア９の前部には、図２に示すように、ナット１７が装着されており、ナット１７によりロータ３がピニオンギア９に固定されている。ピニオンギア９は、図２に示すように、その軸方向の中間部と後端部とがそれぞれ軸受１８ａ、１８ｂによりリール本体２の筐体部１０に回転自在に支持されている。軸受１８ａ、１８ｂは、機構支持部１０ｂに装着されている。軸受１８ａは、図２及び図４に示すように、環状の板状部材６５によって、機構支持部１０ｂにねじ止め固定されている。ここでは、ロータ３の糸巻き取り方向がリール前方から見て時計回り（右巻き）に回転するようになっているリールであって、板状部材６５は、正転用の部材であるが（図１１参照）、ロータ３の糸巻き取り方向がリール前方から見て反時計回り（左巻き）に回転する構成にする場合には、板状部材６５を、左右反転した逆転用の部材とするために（図１２参照）、複数の貫通孔を加工違いとすればよく、このため、同じ金型を用いることができる。なお、複数の貫通孔の位置は、左右対称となる位置に形成されており、図示しないボルト孔や螺軸２１装着孔等の位置を、正転用と逆転用で左右対称となる位置に配置する必要がある。
【００２９】
オシレーティング機構６は、図２から図４に示すように、トラバースカム方式のレベルワインド機構であって、ピニオンギア９に噛み合う減速機構２０と、減速機構２０に連動して回転する螺軸２１と、螺軸２１に係合して前後に往復移動するスライダ２２と、スライダ２２をスプール軸１６方向に案内する２本のガイド軸２３ａ、２３ｂを有している。
【００３０】
減速機構２０は、図４に示すように、ピニオンギア９に噛み合う大径ギア２５ａ及び小径ギア２５ｂを有する段付ギア２５と、螺軸２１の前端部の軸部に相対回転不能に装着され小径ギア２５ｂに噛み合う中間ギア２６とを備えている。段付ギア２５は、ピニオンギア９と平行な軸回りに回転する。大径ギア２５ａは、ピニオンギア９に噛み合うねじギアである。小径ギア２５ｂは、中間ギア２６に噛み合うねじギアである。ピニオンギア９は、図２に示すように、マスターギア軸８の下側に配置され、段付ギア２５、中間ギア２６は、マスターギア軸８の下側に配置されている。中間ギア２６は、螺軸２１の前端部に相対回転不能に装着固定されたねじギアである。ここでは、小径ギア２５ｂより大径の中間ギア２６に噛み合うことにより、ピニオンギア９の回転が大きく減速されて螺軸２１に伝達される。このような減速機構２０によって、スプール４の前後移動の速度が減速されるので、釣り糸を密巻きにすることができる。
【００３１】
螺軸２１は、図２、図４に示すように、表面に交差する螺旋状の螺旋状溝２１ａが形成された部材であり、スプール軸１６と平行に配置されている。螺軸２１は、筐体部１０の前後端に回転自在に装着されている。螺軸２１は、筐体部１０の後方から装着されている。
【００３２】
スライダ２２は、図２から図４に示すように、螺軸２１の螺旋状溝２１ａに係合する係合部材２２ａと、係合部材２２ａが装着され螺軸２１の回転に連動して前後移動するスライダ本体２２ｂとを有している。スライダ２２は、係合部材２２ａの先端が螺旋状溝２１ａに係合することにより、螺軸２１の回転に応じてスプール軸方向に往復移動し、スプール軸１６をハンドル１の回転に連動して往復移動させる。
【００３３】
ロータ３は、図２、図４、図５に示すように、ピニオンギア９を介してリール本体２に回転自在に装着されたロータ本体３５と、ロータ本体３５に揺動自在に装着されたベールアーム３４とを有している。ロータ本体３５は、たとえばアルミニウム合金製であり、ピニオンギア９に固定された筒状の支持部３０と、支持部３０の後端部外周面の対向する位置から支持部３０と間隔を隔ててそれぞれ前方に延びる第１ロータアーム３１及び第２ロータアーム３２とを有している。ロータ本体３５である、支持部３０、第１ロータアーム３１及び第２ロータアーム３２は、たとえばアルミニウム合金製であり、ダイカスト成形により一体成形されている。第１ロータアーム３１、第２ロータアーム３２の径方向外周側には、図１、図２に示すように、それぞれ、第１カバー部材３６、第２カバー部材３７により覆われている。また、第１ロータアーム３１、第２ロータアーム３２の先端の外周側には、ベールアーム３４を構成する第１ベール支持部材４０、第２ベール支持部材４２が揺動自在に装着されている。ベールアーム３４は、釣竿からスプール４に釣り糸をスムーズに案内してスプール４に釣り糸を巻き付けるために設けられている。ベールアーム３４は、糸案内姿勢とそれから反転した糸開放姿勢との間で揺動自在である。また、このようなロータ３は、ハンドル１を糸巻き取り方向に回転させると、リール前方から見て時計回り（右巻き）に回転するようになっている。
【００３４】
第１ロータアーム３１及び第２ロータアーム３２は、図２、図４、図５に示すように、ベールアーム３４を糸開放姿勢と糸巻き取姿勢とに振り分けて付勢するトグルばね機構６１を取り付け可能な第１収納空間３１ａ及び第２収納空間３２ａをそれぞれ有している。第１収納空間３１ａ及び第２収納空間３２ａは、第１収納空間３１ａにトグルばね機構６１が収納され、完成品とするために切削加工等の仕上げ加工を施す前の製造中途段階の状態のもの（半製品）であるとき（図７参照）、スプール軸１６を全部含む面を対称面として互いが面対称となる形状に形成されている。また、第１ロータアーム３１及び第２ロータアーム３２自身は、完成品とするために切削加工等の仕上げ加工を施す前の製造中途段階の状態のもの（半製品）であるとき（図７参照）、スプール軸１６を全部含む面を対称面として互いが面対称となる形状に形成されている。なお、第１ロータアーム３１及び第２ロータアーム３２や、第１収納空間３１ａ及び第２収納空間３２ａは、図６に示すように、第１収納空間３１ａ及び第２収納空間３２ａ自身、第１凹部３１ｃ、第２凹部３２ｃに切削加工等の仕上げ加工を施すと、最終的に製品として完成した状態のもの（完成品）となる。ここでは、ロータ３の糸巻き取り方向がリール前方から見て時計回り（右巻き）に回転するようになっているリールであったが、ロータ３の糸巻き取り方向がリール前方から見て反時計回り（左巻き）に回転する構成にする場合には、第２ロータアーム３２の第２収納空間３２ａにトグルばね機構６１を収納するために、第２ロータアーム３２側に第１収納空間３１ａ等を形成するだけでよく、すなわち、第２ロータアーム３２及び第１ロータアーム３１に、第２収納空間３２ａ及び第１収納空間３１ａ自身、第１凹部３１ｃ、第２凹部３２ｃを、切削加工等の仕上げ加工を施すだけでよい。
【００３５】
第１ロータアーム３１及び第２ロータアーム３２は、図６、図７に示すように、後面にそれぞれ形成され、糸解放姿勢に揺動したベールアーム３４を糸巻き取姿勢に戻す戻し機構６２を第１装着部３１ｄのみに装着可能な第１装着部３１ｄ及び第２装着部３２ｄを有している。第１装着部３１ｄ及び第２装着部３２ｄは、完成品とするために切削加工等の仕上げ加工を施す前の製造中途段階の状態のもの（半製品）であるとき（図７参照）、スプール軸１６を全部含む面を対称面として互いが面対称となる形状に形成されている。なお、第１装着部３１ｄ及び第２装着部３２ｄは、図６に示すように、第１装着部３１ｄのみに貫通孔３１ｅを切削加工を施すと、最終的に製品として完成した状態のもの（完成品）となる。ここでは、ロータ３の糸巻き取り方向がリール前方から見て時計回り（右巻き）に回転するようになっているリールであったが、ロータ３の糸巻き取り方向がリール前方から見て反時計回り（左巻き）に回転する構成にする場合には、第２ロータアーム３２の第２装着部３２ｄに戻し機構６２を装着するために、第２ロータアーム３２の第２装着部３２ｄのみに貫通孔３１ｅを切削加工を施すだけでよい。
【００３６】
第１ロータアーム３１及び第２ロータアーム３２は、図５に示すように、両外側面に形成され、トグルばね機構６１を揺動支持する第１支持部３１ｂ及び第２支持部３２ｂを有している。第１支持部３１ｂ及び第２支持部３２ｂは、スプール軸１６を全部含む面を対称面として互いが面対称となる形状に形成されている。第１カバー部材３６及び第２カバー部材３７は、両内側面に形成され、それぞれ第１支持部３１ｂ及び第２支持部３２ｂとでトグルばね機構６１を揺動支持する第３支持部３６ａ及び第４支持部３７ａを有している。第３支持部３６ａ及び第４支持部３７ａは、スプール軸１６を全部含む面を対称面として互いが面対称となる形状に形成されている。第１ロータアーム３１の第１収納空間３１ａにのみトグルばね機構６１が装着されているので、第１ロータアーム３１の第１支持部３１ｂと第１カバー部材３６の第３支持部３６ａとでトグルばね機構６１が支持されているが、第２ロータアーム３２の第２支持部３２ｂと第２カバー部材３７の第４支持部３７ａとでは何も支持していない。ここでは、ロータ３の糸巻き取り方向がリール前方から見て時計回り（右巻き）に回転するようになっているリールであったが、ロータ３の糸巻き取り方向がリール前方から見て反時計回り（左巻き）に回転する構成にする場合には、第２ロータアーム３２の第２支持部３２ｂと第２カバー部材３７の第４支持部３７ａとでトグルばね機構６１を支持すればよい。
【００３７】
トグルばね機構６１は、図２、図５に示すように、ベールアーム３４に一端が係止され第１ロータアーム３１に揺動自在に装着される第１トグルばね機構６１ａを有している。第１トグルばね機構６１ａは、図５に示すように、第１ロータアーム３１の第１収納空間３１ａに沿って前後方向に延びる第１ロッド６１ｂと、第１ロッド６１ｂの後端部が摺動自在に挿入された第１筒状部材６１ｃと、第１ロッド６１ｂを前方側に付勢する第１ばね６１ｄとを有している。第１ロッド６１ｂは、先端部が外周側に折り曲げられ、第１ベール支持部材４０に形成された図示しない凹部に係合している。第１筒状部材６１ｃは、第１ロータアーム３１及び第１カバー部材３６に揺動自在に連結されている。第１筒状部材６１ｃの後端部には、係止片６１ｅが突出して形成されている。
【００３８】
戻し機構６２は、図２、図５、図８（リターン位置）、図９（非リターン位置）に示すように、第１トグルばね機構６１ａの後端部に係合し、第１ロータアーム３１の後面に揺動自在に装着される戻しレバー６２ａと、戻しレバー６２ａを振り分けて付勢する第２トグルばね機構６２ｂと、戻しレバー６２ａを揺動規制するために設けられたシート部材６２ｃとを有している。戻しレバー６２ａは、第１ロータアーム３１の後面の第１装着部３１ｄにロータ回転平面と平行な面内で揺動自在に取り付けられている。戻しレバー６２ａの一端は、第１筒状部材６１ｃの係止片６１ｅが係合し、第１筒状部材６１ｃの移動によって戻しレバー６２ａがリターン位置（図８）と、非リターン位置（図９）との２つの位置に揺動する。また、第１蓋部材１１の第１機構収納カバー１１の外周部には、外周側に突出した切換突起１１ｄ（図４参照）が形成されており、この切換突起１１ｄは、戻しレバー６２ａがロータ３とともに回転してきた際に、戻しレバー６２ａの先端部に当接可能である。また、戻しレバー６２ａは、第２トグルばね機構６２ｂに係止されている。
【００３９】
第２トグルばね機構６２ｂは、図５に示すように、一端が戻しレバー６２ａに係止された第２筒状部材６２ｄと、第２筒状部材６２ｄに一端が収納され他端がロータ３に揺動自在に取り付けられた第２ロッド６２ｅと、第２筒状部材６２ｄを戻しレバー６２ａ側に付勢する第２ばね６２ｆとを有している。なお、第２筒状部材６２ｄ及び第２ばね６２ｆは、ロータ回転平面と平行な面内で移動する。
【００４０】
シート部材６２ｃは、図１０に拡大して示すように、左右対称な鏡像となる形状に形成されている。このため、ロータ３の糸巻き取り方向がリール前方から見て反時計回り（左巻き）に回転する構成にする場合にも、同じシート部材６２ｃをそのまま転用することが可能である。
【００４１】
ロータ３は、図２に示すように、逆転防止機構５０により糸繰り出し方向の回転を禁止・解除可能である。逆転防止機構５０は、筐体部１０の機構支持部１０ｂに装着されたローラ型のワンウェイクラッチ５１を有している。ワンウェイクラッチ５１は、逆転禁止状態と逆転可能状態とに切換可能である。逆転防止機構５０は、ワンウェイクラッチ５１を逆転禁止状態と逆転可能状態とに切り換える切換操作部５２をさらに有している。切換操作部５２は、筐体部１０の機構支持部１０ｂの下部に揺動自在に支持されている。
【００４２】
スプール４は、図２に示すように、浅溝形のものであり、外周に釣り糸が巻き付けられる糸巻胴部４ａと、糸巻胴部４ａの後端部に糸巻胴部４ａより大径に形成された筒状のスカート部４ｂと、糸巻胴部４ａの先端部に糸巻胴部４ａより僅かに大径に形成された前フランジ部４ｃとを備えている。
【００４３】
このスピニングリールでは、第１ロータアーム３１及び第２ロータアーム３２の第１収納空間３１ａ及び第２収納空間３２ａは、第１収納空間３１ａにトグルばね機構６１が収納されるように形成され、スプール軸１６を全部含む面を対称面として互いが面対称となる形状に形成されている。ここでは、第１収納空間３１ａにトグルばね機構６１が収納され、ロータ３の糸巻き取り方向がリール前方から見て時計回り（右巻き）に回転するようになっており、第２収納空間３２ａは、第１収納空間３１ａに対して面対称となる形状に形成されているので、ロータ３の糸巻き取り方向がリール前方から見て反時計回り（左巻き）に回転する構成にする場合には、第２収納空間３２ａにトグルばね機構６１を収納することができる。したがって、時計回り用のロータ本体３５と反時計回り用のロータ本体３５とを兼用することができるので、ロータ本体３５の支持部３０や第１ロータアーム３１及び第２ロータアーム３２を一体的に型成形するための金型を従来のように２つ製造する必要がなく１つの金型で済むので、時計回り用のロータ本体３５と反時計回り用のロータ本体３５とを製造するときの製造コストの増加を抑えることができる。
【００４４】
〔他の実施形態〕
（ａ）  前記実施形態では、投げ釣り用のスピニングリールを例にあげて説明したが、前記実施形態のロータ本体３５を有する他の態様のスピニングリールであってもよい。
【００４５】
（ｂ）  前記実施形態では、第１ロータアーム３１及び第２ロータアーム３２や、第１収納空間３１ａ及び第２収納空間３２ａは、完成品とするために切削加工等の仕上げ加工を施す前の製造中途段階の状態のもの（半製品）であるとき、スプール軸１６を全部含む面を対称面として互いが面対称となる形状に形成されていたが、最終的に製品として完成した状態のもの（完成品）であるときに、スプール軸１６を全部含む面を対称面として互いが面対称となる形状に形成してもよい。
【００４６】
（ｃ）  前記実施形態では、第１蓋部材１１及び第２蓋部材１２や、第１カバー部材３６及び第２カバー部材３７は、互いに鏡像となるような対称形状に形成されていたが、両者が完全に一致するような対称形状にとなる形状に形成してもよい。
【００４７】
（ｄ）  前記実施形態では、トグルばね機構６１が取り付けられていない第２収納空間３２ａには、何も装着されていなかったが、第１ロータアーム３１及び第２ロータアーム３２全体の質量を均一化するバランサ部材を装着するようにしてもよい。
【００４８】
（ｅ）  前記実施形態では、第１ロータアーム３１の第１収納空間３１ａのみにトグルばね機構６１を装着していたが、第１ロータアーム３１の第１収納空間３１ａ及び第２ロータアーム３２の第２収納空間３２ａの両方や、第２ロータアーム３２の第２収納空間３２ａのみにトグルばね機構６１を装着してもよい。
【図面の簡単な説明】
【００４９】
【図１】本発明の一実施形態を採用したスピニングリールの側面図。
【図２】前記スピニングリールの側面断面図。
【図３】前記スピニングリールの背面断面図。
【図４】前記スピニングリールの斜視図。
【図５】ロータの斜視図。
【図６】ロータ本体（完成品）の拡大側面断面図。
【図７】前記ロータ本体（半製品）の拡大側面断面図。
【図８】戻しレバー（リターン位置）の拡大図。
【図９】前記戻しレバー（非リターン位置）の拡大図。
【図１０】シート部材の拡大図。
【図１１】前記スピニングリールの板状部材（正転用）の拡大図。
【図１２】前記スピニングリールとは別のスピニングリールの板状部材（逆転用）の拡大図。
【符号の説明】
【００５０】
１  ハンドル
２  リール本体
３  ロータ
４  スプール
５  ロータ駆動機構
６  オシレーティング機構
７  マスターギア
８  マスターギア軸
９  ピニオンギア
１０  筐体部
１１  第１蓋部材
１１ｄ  切換突起
１２  第２蓋部材
１３  竿取付脚部
１４  第１カバー部材
１５  第２カバー部材
１６  スプール軸
３０  支持部
３１  第１ロータアーム
３１ａ  第１収納空間
３１ｂ  第１支持部
３１ｃ  第１凹部
３１ｄ  第１装着部
３１ｅ  貫通孔
３２  第２ロータアーム
３２ａ  第２収納空間
３２ｂ  第２支持部
３２ｃ  第２凹部
３２ｄ  第２装着部
３４  ベールアーム
３５  ロータ本体
３６  第１カバー部材
３６ａ  第３支持部
３７  第２カバー部材
３７ａ  第４支持部
４０  第１ベール支持部材
４２  第２ベール支持部材
６１  トグルばね機構
６１ａ  第１トグルばね機構
６１ｂ  第１ロッド
６１ｃ  第１筒状部材
６２  戻し機構
６２ａ  戻しレバー
６２ｂ  第２トグルばね機構
６２ｃ  シート部材
６２ｄ  第２筒状部材
６２ｅ  第２ロッド
６２ｆ  第２ばね
６５  板状部材
【図１】
2009065935.tif 000003
【図２】
2009065935.tif 000004
【図３】
2009065935.tif 000005
【図４】
2009065935.tif 000006
【図５】
2009065935.tif 000007
【図６】
2009065935.tif 000008
【図７】
2009065935.tif 000009
【図８】
2009065935.tif 000010
【図９】
2009065935.tif 000011
【図１０】
2009065935.tif 000012
【図１１】
2009065935.tif 000013
【図１２】
2009065935.tif 000014